(57)【要約】【課題】  多数回の繰り返し使用が可能で、衣服の厚い、薄いにも関係なく装着可能な磁気治療器を提供する。【解決手段】  衣服を表裏両面側から弾性把持する把持部材１３と、該把持部材に設けられた磁石１１とを有することを特徴としている。把持部材１３の先端部１３ａ，１３ｂの間に衣服を挟んで磁石１１が身体側になるように固定する。衣服は、下着でも上着でもよく、各種のサポータ、肩パット、腹巻、靴下、頭部飾り、メガネ、ベルト、靴の中敷、枕、マット、椅子の背もたれ、ヘッドレスト等々に使用できる。弾性体で挟むので、多数回の繰り返し使用が可能である。また、磁石は、磁気シールド材で囲うなどの手段によって、有効磁力線の長さが３０ｍｍ以上になっている。そのため、有効磁力線が衣服の上からでも身体のつぼを刺激することができる。【選択図】      図１
2006167179.tif 000002
【特許請求の範囲】
【請求項１】
衣服を表裏両面側から弾性片で挟んで把持する把持部材と、該把持部材に設けられた磁石とを有し、該磁石の有効磁力線の長さが３０ｍｍ以上であることを特徴とする磁気治療器。
【請求項２】
少なくとも１面が平面で、該平面からの有効磁力線の長さが３０ｍｍ以上の磁石と、前記平面に固着された接着部材とからなり、該接着部材が衣服等に繰り返し接着・剥離可能であることを特徴とする磁気治療器。
【請求項３】
前記把持部材が、弾性のある金属板をＵ字型に折り曲げたものであることを特徴とする請求項１記載の磁気治療器。
【請求項４】
前記磁石が板状で、表裏に磁極を有し、一方の磁極側が磁気シールド材によりシールドされていることを特徴とする請求項１から３のいずれかに記載の磁気治療器。
【発明の詳細な説明】
【技術分野】
【０００１】
本発明は、肩こりなどの人体の治療に利用される磁気治療器に関する。
【背景技術】
【０００２】
昭和３６年の薬事法施行令の中で、磁石は治療器具の１つとして登録されている。磁気治療は、確実な効果を発揮しており、たとえば、人体表面の温度分布を測定する赤外線サーモグラフィーを使って試験してみると、磁気作用は明らかに血行を良くして、体温を上昇させることが分かる。あらゆるこりやストレスに即効性があるとは言えないまでも、かなりの高確率で驚異的な効果を発揮していることは紛れもない事実である。
【０００３】
血液成分の中には、プラスイオンとマイナスイオンに電離するものが含まれており、これが血液中を流れるので、電流が流れるのと等しい状態となっている。ここに磁石によって磁場を加えると、「フレミングの左手の法則」により力が発生する。この力がイオンの流れを活発にし、血液の流れを良くするものと考えられる。
【０００４】
脳波、心電図、筋電図など、生体には様々な電気現象がみられ、電気と磁気は密接に関わりがあり、空気や水とともに、磁気は健康になくてはならないものである。
【０００５】
このようなことから、磁石を身につけて身体のつぼを刺激して血行を促進し、筋肉のこりをほぐし、自律神経のバランスを回復することを目的として多様な磁気治療器が使用されている。
【０００６】
代表的なものとして、貼付式磁気治療器がある。人体のつぼに磁石をあて、これを粘着剤の付いたシートで上から被せて固定するものである。この方法は、磁石を直接人体のつぼに密着させることができるので、効果的ではある。
【０００７】
しかし、この磁気治療器は、粘着剤を使用するので、長時間装着すると、人によっては、粘着剤でかぶれることがある。
【０００８】
そこで、特許文献１（特開平７−１１６２７０号）では、板状の磁石と、これが収容される支持枠とからなる磁気治療器を提案している。これは、支持枠に粘着力を持つ摩擦面を形成し、これによって衣類の内側に貼付して磁石を人体のつぼに当てるものである。
【０００９】
しかし、これは繰り返し使用していると、粘着力が無くなり、使用できなくなってしまうという問題があった。また、有効磁力線の長さが短く、衣服の外側に磁石を取り付けると、人体には磁力線が到達できなくなるという問題があった。
【００１０】
また、特許文献２（特開平７−１１６２７１号）では、保護枠内に磁石を保持し、保護枠に柱状爪部材を設け、この柱状爪部材を衣服にあてがい、衣服の反対側から柱状爪部材にリングをはめることで衣服に固定する磁気治療器を提案している。
【００１１】
しかし、これは厚い衣服には使用できず、使用できる衣服が限定されてしまうという問題がある。また、衣服を傷め易いという問題もある。また、従来の磁気治療器は、有効磁力線の長さが１５ｍｍ程度と短く、直接皮膚に接触させなければ、効果を発揮できないというものであった。
【００１２】
なお、有効磁力線の長さとは、ここでは、次のように定義している。磁極から垂直方向に離れた点における磁束密度をテスラメータで測定し、その点の磁束密度が地磁気による自然界の磁束密度（０．２ｍＴ）と同じになる点を求め、その点と磁極との距離を有効磁力線の長さとしている。
【特許文献１】特開平７−１１６２７０号
【特許文献２】特開平７−１１６２７１号
【発明の開示】
【発明が解決しようとする課題】
【００１３】
本発明は、前記の問題の解決を図ったもので、多数回の繰り返し使用が可能で、衣服の厚い、薄いにも関係なく装着可能な磁気治療器を提供することを目的としている。
【課題を解決するための手段】
【００１４】
前記の目的を達成するために本願の請求項１に記載の磁気治療器は、衣服を表裏両面側から弾性片で挟んで把持する把持部材と、該把持部材に設けられた磁石とを有し、該磁石の有効磁力線の長さが３０ｍｍ以上であることを特徴としている。
【００１５】
又は、本願の磁気治療器は、少なくとも１面が平面で、有効磁力線の長さが３０ｍｍ以上の磁石と、前記平面に固着された接着部材とからなり、該接着部材が衣服等に繰り返し接着・剥離可能であることを特徴としている。
【００１６】
前記把持部材が、弾性のある金属板をＵ字型に折り曲げた弾性片である構成としたり、前記磁石が板状で、表裏に磁極を有し、一方の磁極側を磁気シールド材によりシールドされている構成とすることができる。
【００１７】
上記手段によれば、以下のような作用が得られる。
【００１８】
弾性片で衣服等を表裏両面側から挟み、あるいは接着部材で衣服等に接着することで、磁石が身体側になるようにする。磁石からの有効磁力線の長さが３０ｍｍ以上と長いので、磁力線は衣服等を通して身体に達し、つぼを刺激して血行を促進し、こり等をやわらげる。
【００１９】
本発明の磁気治療器具は、衣服以外のサポータ類、肩パット、腹巻、靴下、頭部飾り、メガネ、ベルト、靴の中敷、靴の底、枕、マット、椅子の背もたれ、ヘッドレスト等々（これらを総称して「衣服等」という）にも使用できるので、多様な身体部位に使用することができる。
【発明の効果】
【００２０】
本発明の磁気治療器は、有効磁力線の長さが長いので、弾性片で衣服に挟んで取り付けても、衣服等の厚い薄いに関係なく磁力線がつぼを刺激し、こりを和らげることができる。接着部材を設けた構成にすると、多様な身体部位に対して使用することができる。接着部材を設けた構成にすると、着脱が非常に簡単にできるようになる。
【００２１】
把持部材として、弾性のある金属板をＵ字型に折り曲げたものを使用すると、簡単な構成で把持部材を得ることができる。
【発明を実施するための最良の形態】
【００２２】
以下、本発明の実施の形態を添付図面を参照して説明する。
【００２３】
図１は、本発明の磁気治療器の斜視図である。本発明の磁気治療器１０は、磁石１１を支持枠１２で保持し、この支持枠１２を把持部材１３に固定したものである。磁石１１としては、永久磁石を使用している。支持枠１２の素材は、特に限定されないが、身体に向かう方向の磁力線以外の磁力線を抑えるということから、磁性体からなるカバーを設けてもよい。
【００２４】
把持部材１３は、弾性のある金属板をＵ字型に折り曲げた弾性片で、両先端部１３ａ，１３ｂ間に挟んだものを弾性で圧接して保持できるようにしたものである。金属素材としては、鋼、ステンレススチール、非鉄金属、貴金属等の板を使用できるが、プラスチックを用いることも可能である。
【００２５】
本発明の磁気治療器１０は、把持部材１３の先端部１３ａ，１３ｂ間で衣服を挟み、磁石１１が身体側になるようにする。把持部材１３の弾性力で保持するので、厚地の衣服でも薄地の衣服でも把持することができる。このとき、磁石１１と身体との間に下着などの別の衣服があっても、後述する理由から問題ない。また、１３ｂの先端を外側に湾曲させて入口部分を若干拡げておくと、衣服などを挟み易くなる。
【００２６】
把持部材１３として、Ｕ字状の例を示したが、弾性で薄い衣服から厚い衣服まで挟める構造であればよく、たとえば、洗濯ばさみのような構成にしてもよい。また、両先端部１３ａ，１３ｂの圧接面に滑り止めの凹凸加工をしたり、別の凹凸の付いた素材を貼り付けてもよい。
【００２７】
磁石１１は円形の板状で、全体としての大きさは、直径５〜３０ｍｍ程度で、厚さは３ｍｍ程度であるが、この大きさに限定されない。形状も円形、矩形等任意の形状を採用できる。本発明の磁石１１は、有効磁力線の長さが長いことに特徴がある。
【００２８】
図２は、磁石１１の有効磁力線を示す図である。実際の磁力線は無数に出ているのであるが、ここでは、１本の点線で代表させている。前述したように、磁極から垂直方向に離れた点における磁束密度をテスラメータで測定し、その点の磁束密度が地磁気による自然界の磁束密度（０．２ｍＴ）と同じになる点を求め、その点と磁極との距離Ｄを有効磁力線の長さとしている。
【００２９】
通常の磁気治療具では、有効磁力線の長さＤの値は５〜１５ｍｍ程度である。これに対し、本発明では、有効磁力線の長さＤを３０ｍｍ以上にしている。有効磁力線の長さを長くするには、磁石１１の表面磁力を大きくする方法と、磁石１１の片面をシールドする方法がある。本発明では、支持枠１２を磁気シールド材にしている。このように、磁石１１の片面をシールドすることによって、磁力線は、シールドされている側の面の磁力線は短くなり、シールドされていない側の面からのものが長くすることができる。この構成により、磁石１１の表面磁力を大きくすることなく、有効磁力線の長さＤを３０ｍｍ以上にすることができる。ただし、有効磁力線の長さを長くする方法は、磁気シールド材で囲む方法に限定されるものではない。
【００３０】
磁気シールド材としては、飽和磁束密度の高い材料が有効で、たとえば、電磁純鉄や珪素鋼板などを使用することができる。
【００３１】
図３は、本発明の第２実施例を示す断面図である。ここでは、板状の磁石１１の一方の面に磁気シールド材からなる支持枠１２を取り付け、他方の面に接着部材１４（商品名レアタック（セメダイン株式会社製））を設けた。この接着部材１４は、ゴム系の素材で、両面とも粘着性に富み、一方の面で磁石１１に接着され、他方は表面に露出している。この露出面の粘着性によって、衣服や靴など殆どあらゆる物に繰り返して接着・剥離が可能である。また、繰り返し接着・剥離をしていると汚れなどによって粘着力が低下するが、その場合、洗浄して表面の汚れを落とすことで、元の粘着力を回復することができる。なお、磁石１１と接着部材１４とは、別の接着剤で接着固定すれば、磁石１１と接着部材１４とを剥離しないようにすることができる。
【００３２】
本発明の磁気治療器１０は、上記の構成なので、各種のサポータ、肩パット、腹巻、靴下、頭部飾り、メガネ、ベルト、靴の中敷、靴の底、枕、マット、椅子の背もたれ、ヘッドレスト等々に使用することができる。
【図面の簡単な説明】
【００３３】
【図１】本発明の磁気治療器の斜視図である。
【図２】図１の磁石の一部を拡大した断面図である。
【図３】本発明の第２実施例を示す断面図である。
【符号の説明】
【００３４】
１０      磁気治療器
１１      磁石
１２      支持枠
１３      把持部材
１３ａ，１３ｂ  先端部
【図１】
2006167179.tif 000003
【図２】
2006167179.tif 000004
【図３】
2006167179.tif 000005